(57)【特許請求の範囲】
【請求項１】
サーバに投稿される複数の投稿内容から、放送局のチャンネル番号あるいは放送局名に関する情報を用いて投稿内容を検索して、前記放送局のチャンネル番号あるいは放送局名に関連する投稿内容を取得する取得部と、
前記放送局のチャンネル番号あるいは放送局名を画面上に表示するとともに、前記放送局のチャンネル番号あるいは放送局名に対応する前記画面上の投稿内容の表示領域に、前記放送局のチャンネル番号あるいは放送局名に関連して取得された投稿内容を表示する表示制御部と
を有する電子機器。
【請求項２】
前記表示制御部は、前記複数の前記放送局のチャンネル番号あるいは前記放送局名を、前記投稿内容の取得数が大きい順に前記画面に表示する請求項１に記載された電子機器。
【請求項３】
前記表示制御部は、前記画面に表示された前記チャンネル番号あるいは前記放送局名について操作機器によって前記画面への表示の指示が為された際、該チャンネル番号あるいは該放送局名の放送番組を前記画面に表示する請求項１に記載された電子機器。
【請求項４】
前記表示制御部は、前記放送番組を前記画面に表示する際、前記画面全体に表示する請求項３に記載された電子機器。
【請求項５】
前記表示制御部は、前記放送番組を前記画面に表示する際、前記画面の一部に表示する請求項３に記載された電子機器。
【請求項６】
放送番組の番組情報から番組表を生成する番組表生成部と、
サーバに投稿される複数の投稿内容から、放送局のチャンネル番号あるいは放送局名に関する情報を用いて投稿内容を検索して、前記放送局のチャンネル番号あるいは放送局名に関連する投稿内容を取得する取得部と、
前記放送局のチャンネル番号あるいは放送局名に関連して取得された前記投稿内容を、画面上に前記番組表とともに表示する表示制御部と
を有する電子機器。
【請求項７】
前記表示制御部は、前記投稿内容を前記番組表の前記放送局毎に画面の一部に表示する請求項６に記載された電子機器。
【請求項８】
前記表示制御部は、前記投稿内容を前記番組表の前記放送番組毎に画面の一部に表示する請求項６に記載された電子機器。
【請求項９】
前記放送局毎の前記番組情報と前記投稿内容を照合し、前記番組情報に含まれる単語と同じ単語が含まれる前記投稿内容を前記放送番組に関連した前記投稿内容と判定する判定部を有する請求項８に記載された電子機器。
【請求項１０】
電子機器によって実行される情報表示方法であって、
サーバに投稿される複数の投稿内容から、放送局のチャンネル番号あるいは放送局名に関する情報を用いて投稿内容を検索して、前記放送局のチャンネル番号あるいは放送局名に関連する投稿内容を取得し、
前記放送局のチャンネル番号あるいは放送局名を画面上に表示するとともに、前記放送局のチャンネル番号あるいは放送局名に対応する前記画面上の投稿内容の表示領域に、前記放送局のチャンネル番号あるいは放送局名に関連して取得された投稿内容を表示する情報表示方法。
【請求項１１】
前記複数の前記放送局のチャンネル番号あるいは前記放送局名を、前記投稿内容の取得数が大きい順に前記画面に表示する請求項１０に記載された情報表示方法。
【請求項１２】
前記画面に表示された前記チャンネル番号あるいは前記放送局名について操作機器によって前記画面への表示の指示が為された際、該チャンネル番号あるいは該放送局名の放送番組を前記画面に表示する請求項１０に記載された情報表示方法。
【請求項１３】
前記放送番組を前記画面に表示する際、前記画面全体に表示する請求項１２に記載された情報表示方法。
【請求項１４】
前記放送番組を前記画面に表示する際、前記画面の一部に表示する請求項１２に記載された情報表示方法。
【請求項１５】
放送番組の番組情報から番組表を生成し、
サーバに投稿される複数の投稿内容から、放送局のチャンネル番号あるいは放送局名に関する情報を用いて投稿内容を検索して、前記放送局のチャンネル番号あるいは放送局名に関連する投稿内容を取得し、
前記放送局のチャンネル番号あるいは放送局名に関連して取得された前記投稿内容を、画面上に前記番組表とともに表示する情報表示方法。
【請求項１６】
前記投稿内容を前記番組表の前記放送局毎に画面の一部に表示する請求項１５に記載された情報表示方法。
【請求項１７】
前記投稿内容を前記番組表の前記放送番組毎に画面の一部に表示する請求項１５に記載された情報表示方法。
【請求項１８】
前記放送局毎の前記番組情報と前記投稿内容を判定部が照合し、前記番組情報に含まれる単語と同じ単語が含まれる前記投稿内容を前記放送番組に関連した前記投稿内容と判定する請求項１７に記載された情報表示方法。
【請求項１９】
コンピュータに処理を実行させるプログラムであって、
前記コンピュータを、
サーバに投稿される複数の投稿内容から、放送局のチャンネル番号あるいは放送局名に関する情報を用いて投稿内容を検索して、前記放送局のチャンネル番号あるいは放送局名に関連する投稿内容を取得する取得部と、
前記放送局のチャンネル番号あるいは放送局名を画面上に表示するとともに、前記放送局のチャンネル番号あるいは放送局名に対応する前記画面上の投稿内容の表示領域に、前記放送局のチャンネル番号あるいは放送局名に関連して取得された投稿内容を表示する表示制御部
として機能させるプログラム。
【請求項２０】
前記表示制御部は、前記複数の前記放送局のチャンネル番号あるいは前記放送局名を、前記投稿内容の取得数が大きい順に前記画面に表示する請求項１９に記載されたプログラム。
【請求項２１】
前記画面に表示された前記チャンネル番号あるいは前記放送局名について操作機器によって前記画面への表示の指示が為された際、該チャンネル番号あるいは該放送局名の放送番組を前記画面に表示する請求項１９に記載された電子機器。
【請求項２２】
前記表示制御部は、前記放送番組を前記画面に表示する際、前記画面全体に表示する請求項２１に記載されたプログラム。
【請求項２３】
前記表示制御部は、前記放送番組を前記画面に表示する際、前記画面の一部に表示する請求項２１に記載されたプログラム。
【請求項２４】
コンピュータに処理を実行させるプログラムであって、
前記コンピュータを、
放送番組の番組情報から番組表を生成する番組表生成部と、
サーバに投稿される複数の投稿内容から、放送局のチャンネル番号あるいは放送局名に関する情報を用いて投稿内容を検索して、前記放送局のチャンネル番号あるいは放送局名に関連する投稿内容を取得する取得部と、
前記放送局のチャンネル番号あるいは放送局名に関連して取得された前記投稿内容を、画面上に前記番組表とともに表示する表示制御部
として機能させるプログラム。
【請求項２５】
前記表示制御部は、前記投稿内容を前記番組表の前記放送局毎に画面の一部に表示する請求項２４に記載されたプログラム。
【請求項２６】
前記表示制御部は、前記投稿内容を前記番組表の前記放送番組毎に画面の一部に表示する請求項２４に記載されたプログラム。
【請求項２７】
前記放送局毎の前記番組情報と前記投稿内容を照合し、前記番組情報に含まれる単語と同じ単語が含まれる前記投稿内容を前記放送番組に関連した前記投稿内容と判定する判定部を有する請求項２６に記載されたプログラム。
【発明の詳細な説明】
【技術分野】
【０００１】
本発明の実施形態は、電子機器、プログラム及び情報表示方法に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、受信機のリモコンのボタンを押すだけで、当日あるいは１週間先までの番組表が表示でき、放送時間や出演者など、番組内容の表示や知りたい情報の検索、番組の視聴予約や録画予約を行うことができる。
【０００３】
また、テレビジョンセット等のデジタル放送受信機においては、放送番組を受像する機能のみならず、多くの機能が搭載されるようになってきており、通信機能を備え、インターネットなどのネットワークを介してさまざまな情報を取得することができるようになっている。ネットワークを介して掲示板やブログ（Blog）等に書き込まれた情報を取得して一般の視聴者の放送番組に対する意見、感想を取得することも提案されている。
【先行技術文献】
【特許文献】
【０００４】
【特許文献１】特開２００４−３０３２７号公報
【発明の概要】
【発明が解決しようとする課題】
【０００５】
チャンネル数の増加に伴い、利用者が視聴したい放送局あるいは放送番組を選び出すのに大変手間が掛かる場合がある。電子番組表は、利用者が画面を見ながら放送番組を選択できるので便利であるが、チャンネル数の増加に伴い、電子番組表の情報が多くなると、視聴したい放送番組を探し出すのに時間を要する場合がある。画面に表示されたＥＰＧの情報だけでは不十分である可能性も考えられる。
【０００６】
例えば、情報表示装置の画面において、数チャンネルについて数時間に亘る時間帯の番組内容が表示されるが、１画面内に表示しきれない番組を表示するために、表示内容を上下左右にスクロールさせることによって、数十番組の中から視聴したい番組を選び出すことになる。
【０００７】
以上のように多数の番組の中から画面に表示された文字情報を見ながら視聴したい番組を探したり、視聴予約あるいは録画予約するには手間が掛かるため、もっと簡単にまた速やかに行える仕組みがあるとよい。放送局あるいは放送番組を検索する際の支援となるような構成が望まれている。
【０００８】
本発明の目的は、上記したような事情に鑑み成されたものであって、利用者が放送局あ
るいは放送番組を選択する際、容易にまた速やかに選択することが可能な電子機器、プログラム及び情報表示方法を提供することである。
【課題を解決するための手段】
【０００９】
上記目的を達成するために、実施形態によれば、電子機器は、サーバに投稿される複数の投稿内容から、放送局のチャンネル番号あるいは放送局名に関する情報を用いて投稿内容を検索して、前記放送局のチャンネル番号あるいは放送局名に関連する投稿内容を取得する取得部と、前記放送局のチャンネル番号あるいは放送局名を画面上に表示するとともに、前記放送局のチャンネル番号あるいは放送局名に対応する前記画面上の投稿内容の表示領域に、前記放送局のチャンネル番号あるいは放送局名に関連して取得された投稿内容を表示する表示制御部とを有する。
【図面の簡単な説明】
【００１０】
【図１】第１の実施形態に係わる情報表示装置の外観斜視図。
【図２】第１の実施形態に係わる情報表示装置の構成を示したブロック図。
【図３】第１の実施形態に係わるリモコンの外観図。
【図４】画面に複数の放送局名と放送局毎の短文感想が表示された状態を示した図。
【図５】放送番組が画面全体に亘って表示された状態を示した図。
【図６】放送番組が画面の一部に表示された状態を示した図。
【図７】追加情報の詳細が画面の一部に表示された状態を示した図。
【図８】第１の実施形態に係わる短文感想表示処理の動作手順を示したフローチャート。
【図９】第２の実施形態に係わる情報表示装置の構成を示したブロック図。
【図１０】画面に番組表が表示された状態を示した図。
【図１１】画面に番組表と短文感想が表示された状態を示した図。
【図１２】第３の実施形態に係わる情報表示装置の構成を示したブロック図。
【図１３】画面に番組表と放送番組毎の短文感想が表示された状態を示した図。
【図１４】第４の実施形態に係わる情報表示装置の構成を示したブロック図。
【図１５】第５の実施形態に係わる情報表示装置の外観斜視図。
【発明を実施するための形態】
【００１１】
以下実施形態について図面を参照しながら説明する。
【００１２】
（第１の実施形態）
図１は、第１の実施形態における情報表示装置の外観斜視図である。情報表示装置１は、デジタル放送を受信し、受信した放送番組の記録および再生が可能であって、画面に放送番組の映像を表示するデジタルテレビ等の情報表示装置である。また、デジタル放送を受信し再生、表示が可能なパーソナルコンピュータ、タブレット端末等であってもよい。
【００１３】
情報表示装置１は、筐体２と、筐体２を支持するスタンド３を備えている。筐体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１４】
筐体２は、筐体２の前面側と上面、底面、両側側面の一部を覆う前面カバー５と、筐体２の背面側と上面、底面、両側側面の一部を覆う背面カバー６とによって外面が囲まれている。画面７は、表示パネル４の前面カバー６の窓部５ａの内側の表示部分である。
【００１５】
リモコン８は赤外線あるいはBluetooth（登録商標）等による無線通信を利用して、情報表示装置１の操作受信部へ操作信号を送る操作機器である。
【００１６】
図２は、実施形態に係る情報表示装置１の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。アンテナ１０は筐体２の内部に設置されてもよい。
【００１７】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理モジュール１４に出力される。また、復調器１３は、ネットワーク送受信モジュール３０を介してインターネット等のネットワーク３１から受信したＩＰ放送を復調する。
【００１８】
デコード処理モジュール１４は、ＭＰＥＧデコーダ、映像音声デコーダ等の機能を有する。デコード処理モジュール１４は、復調器１３から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。また、デコード処理モジュール１４は、外部装置２９から外部インターフェース２８を介して入力された映像データ及び音声データをデコードする機能を有する。
【００１９】
重畳処理モジュール１５は、デコード処理モジュール１４からの映像データと、バス２０を介して転送されるデータ放送やＧＵＩ（Graphical User Interface）情報によるウィンドウ描画をプレーン管理して、映像データとの重ね合わせを行い、映像処理モジュール１６に送る。
【００２０】
映像処理モジュール１６は、表示装置１７で表示可能なフォーマット（画素数、フレーム周波数、走査方式）に変換したり、表示色を任意に調整したりして、表示装置１７に出力して映像を画面７に表示させる。
【００２１】
音声処理モジュール１８は、デコード処理モジュール１４から伝送されたデジタルの音声データを、スピーカ１９あるいはイヤホンで再生可能なアナログ音声信号に変換した後、スピーカ２０あるいはイヤホンに出力して音声を再生させる。なお、表示装置１７やスピーカ１９は情報表示装置１の外部にあってもよい。また、情報表示装置１と別の筐体に納められていてもよい。
【００２２】
情報表示装置１は、上記した受信動作を含むその全ての動作を制御モジュール２１によって統括的に制御されている。制御モジュール２１はＭＰＵ（Micro Processing Unit）２２が搭載されており、バス２０を介して接続された各構成要素を制御する。
【００２３】
ＲＡＭ（Random Access Memory）２３は、制御モジュール２１のデータ処理に必要な各種データを格納するリードライト用のメモリであり、映像データ、画像フレームの情報等を格納するバッファメモリとして動作する。ＲＯＭ（Read Only Memory）２４は読出し専用のメモリであり、ＭＰＵ２２が実行する制御のプログラムなどを格納している。
【００２４】
フラッシュメモリ２５は、書き換え可能であり、電源を切ってもデータが消えない不揮発性のメモリである。フラッシュメモリ２５は、利用者によって設定された情報表示装置１の機能及び動作に関する各種設定値を記憶する機能を有する。また、フラッシュメモリ２５は、ＥＰＧ（Electronic Program Guide）データ及びＥＰＧを生成するＳＩ（Service Information、番組配列情報）情報等を記憶する機能を有する。
【００２５】
操作受信モジュール２６は、操作機器２７から送信される操作信号を受信し、制御モジュール２１に転送する。操作機器２７は、例えば、赤外線あるいはBluetooth（登録商標）等による無線通信を利用したリモコン（リモートコントローラ、remote controller）８、有線式あるいは無線式キーボード等であり、操作受信モジュール２６に操作信号を送出する。操作受信モジュール２６は、これらリモコン８やキーボード等から操作信号を受信する。
【００２６】
外部インターフェース２８は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（High Definition Multimedia Interface）（登録商標）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ類を含む外部装置２９が接続される。外部装置端子２８ａは外部装置２９が接続される端子である。
【００２７】
情報表示装置１は、外部インターフェース２８を介して外部装置２９に放送番組を記録することができる。また、情報表示装置１は、外部装置２９に記録された映像または音声情報を再生することができる。
【００２８】
情報表示装置１は、ネットワーク送受信モジュール３０を介してインターネット等のネットワーク３１に接続されることが可能である。これにより、情報表示装置１は、ネットワーク３１上にあるサーバ３２等の機器とネットワーク送受信モジュール３０を介して情報伝送を行なうことができる。ネットワーク端子３０ａはネットワーク３１が接続される端子である。ネットワーク送受信モジュール３０とネットワーク３１の接続は有線だけでなく、例えば、ＩＥＥＥ８０２．１１シリーズの通信方式を用いた無線ＬＡＮ等の無線接続であってもよい。
【００２９】
図２において、制御モジュール２１は、放送局表示モジュール３３、ミニブログ取得モジュール３４、ミニブログ表示モジュール３５の機能を有する。これらの機能は、制御モジュール２１のＭＰＵ２２が実行するアプリケーションであり、通常はＲＯＭ２４に格納されており、使用時にはＭＰＵ２２によって読み出され実行される。
【００３０】
放送局表示モジュール３３は、画面７に複数の放送局のチャンネル番号あるいは放送局名を表示する機能を有する。放送局表示モジュール３３は、受信した放送波のＰＳＩ（Program Specific Information番組特定情報）、ＳＩ（Service Information、番組配列情報）から、放送番組のチャンネル情報、放送局名を取得し、チャンネル番号あるいは放送局名のＧＵＩ画面を生成し、生成されたＧＵＩデータは、重畳処理モジュール１５、映像処理モジュール１６を経て画面７に表示される。
【００３１】
ミニブログ取得モジュール３４は、ネットワーク３１を介して接続されたミニブログのウェブサイトのサーバ３２から放送局に関連した短文感想３６を取得する機能を有する。ミニブログは、ウェブサービスの類型の一つで、ブログ（blog）のようにまとまった文章を投稿するのではなく、短文を投稿するようにデザインされているもので、ミニブログ内の利用者間でコミュニケーションを取れる様にもなっている。代表的なミニブログのウェブサイトとしてツイッター（TWITTER）（登録商標）等がある。
【００３２】
短文感想３６は、ミニブログのウェブサービスに、利用者によってその時点における即時の行動内容や雑感などを、数十から百数十字程度の短い簡単な文章で投稿された情報のことである。利用者は投稿した短文感想３６の中に放送局名や番組名を特定する共通の文字列（以降、特定文字列と称する）を埋め込み投稿することで、投稿が特定の放送局や番組に対するものであることを示すことができる。通常、特定文字列は利用者間で合意されており、一意に決められているものである。
【００３３】
ミニブログ取得モジュール３４は、受信した短文感想３６から放送局名に関する特定文字列を含む短文感想を検索することによって、その放送局に関連する短文感想３６を抽出することができる。また、ミニブログ取得モジュール３４はミニブログのウェブサイトが提供している検索機能を利用して、短文感想３６を取得することもできる。
【００３４】
ミニブログ表示モジュール３５はミニブログ取得モジュール３４によって検索、抽出された短文感想３６を放送局毎に、画面７に表示する機能を有する。ミニブログ表示モジュール３５は、随時新たに取得された短文感想３６のＧＵＩ画面を生成し、生成されたＧＵＩデータは、重畳処理モジュール１５、映像処理モジュール１６を経て画面７に表示される。
【００３５】
図３は、実施形態に係わるリモコン８の外観図である。リモコン８は赤外線あるいはBluetooth（登録商標）等による無線通信を利用して、情報表示装置１の操作受信モジュール２６へ操作信号を送る。電源ボタン４０は、情報表示装置１の電源をオンまたはオフする。詳細には情報表示装置１を待機状態から動作状態、または動作状態から待機状態にするボタンである。放送波選択ボタン４１は、放送の種類を選択する操作ボタンである。
【００３６】
選局ボタン４２は、放送のチャンネル番号を直接選択する１から１２までの番号が振られたボタンである。チャンネル送りボタン４３は、チャンネル番号を順送りまたは逆送りで選局するボタンであり、選局ボタン４２と同様にチャンネルを選局するときに用いられる。音量調整ボタン４４は、番組を視聴するときのスピーカの音量を調整するボタンである。
【００３７】
カーソルボタン４５は画面７に表示されたＧＵＩ画面の各種の情報ウィンドウ内のカーソルの移動や各種項目の選択ボタンの移動を行うためのボタンである。カーソルボタン４５は十字ボタン、方向指示ボタンとも呼ばれる。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタン４５ａ〜４５ｄで移動した先の位置または画面上のボタンを実行するときに用いられる。
【００３８】
番組表ボタン４７は、番組表を画面７に表示するときに操作する専用の操作ボタンである。メニューボタン４８は、情報表示装置１に用意された各種の設定メニューを表示するときに押下するボタンである。利用者は、階層表示された複数の項目の中から目的の設定項目を、カーソルボタン４５を用いて選択する。戻るボタン４９は一つ前の操作段階の画面へ戻るときに使うボタンである。終了ボタン５０は、一連の操作を終了するときに操作するボタンである。
【００３９】
４色の色ボタン５１は、左から青ボタン５１ａ、赤ボタン５１ｂ、緑ボタン５１ｃ、黄ボタン５１ｄの順に配置されている。画面７上に色により区別された項目や色による選択の表示があるときに使用する。記録装置操作ボタン５２は、情報表示装置１に外部インターフェース２８を介して接続された外部装置２９に記録された番組を再生する際に、再生、停止、一時停止、早送り再生、早戻し再生、次番組スキップ、先頭戻り・前番組スキップするためのボタンである。
【００４０】
ミニブログ表示ボタン５３は、画面７に複数の放送局名とそれら放送局名に関連した短文感想３６を放送局毎に表示するときに使用する操作ボタンである。利用者が各放送局に関連した短文感想３６を閲覧したいときに使用する。
【００４１】
図４は、画面７に複数の放送局名と放送局毎の短文感想３６が表示された状態を示した図である。画面７の上部に放送局名表示領域６０が配置されており、横方向にチャンネル番号と放送局名が並べて表示されている。放送局名表示領域６０の下方に短文感想表示領域６１が配置されている。縦方向にその放送局に関連した短文感想が時系列で並べて表示されている。図４においては、「ミニブログ一覧」というタイトルで表示されている。
【００４２】
図４においては、放送局名の例として、１ｃｈ Ａ−ＴＶ、２ｃｈ Ｂ−ＴＶ、４ｃｈ Ｃ−ＴＶ、５ｃｈ Ｄ−ＴＶ、６ｃｈ Ｆ−ＴＶの５チャンネルが表示されている。短文感想３６は、各放送局名の下に配置されているが、随時新しい短文感想３６が投稿されると放送局名の直ぐ下に表示され、それまで表示されていた短文感想３６は一段階下方に移動して表示される。従ってそれまで最下段に表示されていた短文感想３６は画面７に表示されなくなる。但し、画面７を下方向にスクロールすることにより、下方に移動され表示されなくなった短文感想３６を表示することができる。
【００４３】
放送局名は、情報表示装置１が受信できる全ての放送局名を表示してもよいし、例えば、地上デジタル放送の放送局に限定して表示してもよいし、あるいは、ＢＳ放送の放送局に限定してもよい。少なくとも２個以上の複数の放送局名が表示されていればよい。
【００４４】
多くの放送局を表示しようとすると、画面７に入り切らないときがあるが、そのようなときは画面を左右方向にスクロールして見ることができるようにすればよい。スクロールを回避したいときは、放送局を絞り込めばよい。放送局を絞りこむ方法としては、地デジ、ＢＳ、ＣＳといった放送の種類によって絞り込むほかに、利用者に選択させて絞り込む方法でもよい。また、短文感想３６の取得数が大きい順に、あるいは、取得数が大きい放送局を優先して表示するようにしてもよい。さらに、例えば、視聴率を公開しているウェブサイトより現在の視聴率データを取得し、現在の視聴率の高い放送局を優先して表示するようにしてもよい。
【００４５】
利用者は、特定文字列を含んだ短文感想３６を閲覧することで、他の利用者が放送局に対してどのような感想を持っているかを確認することができる。また、例えば、短文感想３６の取得数が大きい放送局を優先して表示するようにすれば、利用者はより多くの短文感想３６を読むことができ、より楽しい体験ができる。短文感想３６を閲覧することによって、話題となっている放送局の当りを付けることができ、利用者が放送局を選択する際、利用者の好みに合った番組を放映している放送局を容易にまた速やかに選択することが可能となる。
【００４６】
制御モジュール２１は、図４において画面７に表示されたチャンネル番号あるいは放送局名について、操作機器２７によって画面７への表示の指示が為された際、該チャンネル番号あるいは該放送局名の放送番組を画面７に表示する機能を有する。利用者が図４に示したように画面全体に短文感想を表示している状態で、リモコン８のカーソルボタン４５を使って視聴したいチャンネル番号あるいは放送局名を選択し、決定ボタン４６を押下すると、このチャンネル番号あるいは放送局名の放送番組を画面７に表示する。
【００４７】
図５は、放送番組が画面７の画面全体に亘って表示された状態を示した図である。利用者がリモコン８を使って視聴したい放送局名を選択し、決定すると、選択された放送局名の放送番組が画面７の画面全体に亘って表示される。利用者は大画面で視聴したい放送番組を楽しむことができる。図５においては、５ｃｈ Ｄ−ＴＶの放送番組が表示されたことが示されている。
【００４８】
なお、利用者がリモコン８のミニブログ表示ボタン５３を押下すると、再び放送局毎の短文感想３６が表示される。１回のリモコン操作で選局した放送番組を表示したり、また短文感想の一覧表を表示することができるので、短文感想情報と番組表示を簡易に切り替えることができる。
【００４９】
図６は、放送番組が画面７の一部に表示された状態を示した図である。利用者がリモコン８を使って視聴したい放送局名を選択し、決定すると、選択された放送局名の放送番組が画面７の一部に表示される。利用者は短文感想３６を読みながら放送番組を視聴できるため、視聴中の放送番組の短文感想に加え、他の放送局の短文感想も読むという楽しみができる。図６においては、５ｃｈ Ｄ−ＴＶの短文感想３６の表示部分に重畳されたように番組表示領域６２が配置され、５ｃｈ Ｄ−ＴＶの放送番組が表示された状態を示している。
【００５０】
図５で示した全画面表示と図６で示した一部画面表示の切り換えは、設定メニューによって設定することが可能である。利用者は、リモコン８のメニューボタン４８を押下し、階層表示された項目の中のミニブログ一覧に関する設定項目の中から放送番組の画面表示に関する設定項目を選択して設定することができる。
【００５１】
図７は、追加情報の詳細が画面７の一部に表示された状態を示した図である。短文感想３６が短文感想表示領域６１内で省略され一部分しか表示されない場合は、短文感想３６の全てを表示する。さらに、短文感想３６の中には、追加情報を含むＵＲＬ（Uniform Resource Locator）が記載された短文感想３６が存在する場合があり、利用者が、リモコン８のカーソルボタン４５を使ってこのＵＲＬが記載された短文感想３６を選択し、決定ボタン４６を押下すると、画面７の一部に追加情報表示領域６３が出現し、内部に追加情報の詳細が表示される。図７においては、画面７の中央部に追加情報表示領域６３が配置されている。リモコン８の戻るボタン４９を押下すれば、一つ前の操作段階の画面へ戻ることができる。
【００５２】
図８は、第１の実施形態に係わる短文感想表示処理の動作手順を示したフローチャートである。利用者がリモコン８のミニブログ表示ボタン５３を押下することによって短文感想表示処理の動作が開始される。
【００５３】
Ｓ１１において、制御モジュール２１は、短文感想の表示指示があったかを判定する。表示指示があったならばＳ１２へ進み、無かったならばＳ１１へ戻る。
【００５４】
Ｓ１２において、ミニブログ取得モジュール３４は、ミニブログのウェブサイトにアクセスする。Ｓ１３において、ミニブログ取得モジュール３４は、放送局名に関する特定文字列を検索し、放送局に関する短文感想３６を抽出し取得する。
【００５５】
Ｓ１４において、放送局表示モジュール３３は、画面７に複数の放送局のチャンネル番号や放送局名を表示し、ミニブログ表示モジュール３５は、短文感想３６を放送局毎に時系列に、画面７に表示する。
【００５６】
Ｓ１５において、制御モジュール２１は、放送番組の表示指示があったかを判定する。表示指示があったならば、Ｓ１６へ進み、無かったならば、Ｓ１２へ戻る。Ｓ１６において、制御モジュール２１は、利用者がリモコン８を使って選択、決定した放送局名の放送番組を画面７に表示し、終了する。
【００５７】
以上説明した実施形態によれば、利用者は受信可能な放送局について、どのような話題があるのか一目で知ることができる。人気の番組が放映されているなど、利用者間で人気のある放送局は短文感想の量が相対的に多くなるため、人気度合を一目で見ることができる。また、放送されなかった補足的な情報を他の利用者が提示することがあり、この情報を簡単に見ることができる。１回の操作で選局した放送番組を表示したり、また短文感想の一覧表を表示することができるので、短文感想表示と番組表示を簡易に切り替えることができる。利用者が放送局あるいは放送番組を選択する際、容易にまた速やかに選択することが可能となる。
【００５８】
（第２の実施形態）
図９は、第２の実施形態に係る情報表示装置７０の構成を示したブロック図である。この第２の実施形態の各部について、図１及び図２に示す第１の実施形態の各部と同一部分は同一符号である。この第２の実施形態が第１の実施形態と異なる点は、放送局表示モジュール３３を番組表生成モジュール７２に、ミニブログ表示モジュール３５をミニブログ追加表示モジュール７３に代えた構成にしていることである。
【００５９】
番組表生成モジュール７２は、放送番組の番組情報から番組表を生成する機能を有する。番組表生成モジュール７２は、各番組のＳＩ（Service Information、番組配列情報）情報を取得し、ＳＩ情報を元にしてＥＰＧデータによる番組表生成する。ＥＰＧは多チャンネル化が進む中で利用者が容易に番組を選択することを目的に提供されている。新聞などにおけるテレビ番組欄の表示様態を真似て画面７上に表示される。利用者は、画面７の番組表を見ながらリモコン８を使って番組選択や詳細情報を表示したり、視聴予約、録画予約をしたりすることができる。ＳＩ情報、番組表情報は、ＲＡＭ２３に一旦格納され、その後フラッシュメモリ２５に記憶される。
【００６０】
ミニブログ追加表示モジュール７３は、短文感想３６を番組表７４が表示された画面の一部に表示する機能を有する。ミニブログ追加表示モジュール７３は、ミニブログ取得モジュール３４によって検索、抽出された短文感想３６を放送局毎に、番組表表示領域とは異なるスペースを設け、その部分に短文感想を表示する。
【００６１】
図１０は、画面７に番組表７４が表示された状態を示した図である。ＥＰＧデータによる番組表７４の表示様態は情報表示装置の機種や放送受信機メーカによって異なっているが、情報表示装置１においては、上述した新聞などにおけるテレビ番組欄のように横方向にチャンネル軸、縦方向に時間軸として表示し現在時刻以降に放送される番組が並ぶように表示される。図１０においては、５月１０日（月）午後３時１５分以降の番組が表示されている。番組を選択するとその番組の番組名、放送日時以外に、番組のジャンル、出演者や番組内容等の詳細情報が表示される。
【００６２】
ＳＩ情報は映像・音声などと同様にパケット化され、多重されて送信されている。番組情報のデータは、ＳＩ情報のＥＩＴ(Event Information Table)に含まれており、デコード処理モジュール１４から出力された情報を番組表生成モジュール７２が解析してプログラムに従って番組表７４を生成し、制御モジュール２１が番組表のＧＵＩ画面を生成する。生成されたＧＵＩ画面は、重畳処理モジュール１５、映像処理モジュール１６を経て画面７に表示される。
【００６３】
図１１は、画面７に番組表と短文感想が表示された状態を示した図である。ミニブログ追加表示モジュール７３は、短文感想３６を番組表の放送局毎に画面の一部に表示する。画面７内に番組表表示領域７５とその下方に短文感想表示領域７６が配置され、該当する放送局の下方に短文感想３６が表示される。利用者は画面７に番組表７４が表示された状態でリモコン８のミニブログ表示ボタン５３を押下することによって図１１に示したような番組表と短文感想を表示することができる。
【００６４】
（第３の実施形態）
図１２は、第３の実施形態に係る情報表示装置８０の構成を示したブロック図である。この第３の実施形態の各部について、図９に示す第２の実施形態の各部と同一部分は同一符号である。この第３の実施形態が第２の実施形態と異なる点は、ミニブログ番組追加表示モジュール８２を追加した構成にしていることである。
【００６５】
短文感想３６に含まれる特定文字列は放送局毎だけではなく、放送番組毎に定義されている場合がある。放送局の場合は、放送局に対して一意に識別できる特定文字列が定義されているが、放送番組の場合も同じく、放送番組に対して利用者間で合意された特定文字列が定義されている場合がある。この放送番組に関連した特定文字列を使うことで、放送番組に対する短文感想を検索することができる。
【００６６】
ミニブログ番組追加表示モジュール８２は、短文感想３６を番組表７４の放送番組毎に画面の一部に表示する機能を有する。ミニブログ番組追加表示モジュール８２は、ミニブログ取得モジュール３４によって検索、抽出された放送番組毎の短文感想３６を放送番組毎に番組表７４内に表示する。
【００６７】
図１３は、画面７に番組表７４と放送番組毎の短文感想３６が表示された状態を示した図である。例えば、短文感想８３ａは、１ｃｈ Ａ−ＴＶのタイトルＡＡの放送番組に関連した短文感想であり、タイトルＡＡの番組欄の直下に表示される。また、２ｃｈ Ｂ−ＴＶのタイトルＢＡの短文感想８３ｂ、８３ｃのように時系列で表示される。短文感想８３ｄ、８３ｅは、それぞれタイトルＣＡＡＡ、タイトルＤＡＡＡの短文感想である。
【００６８】
（第４の実施形態）
図１４は、第４の実施形態に係る情報表示装置９０の構成を示したブロック図である。この第４の実施形態の各部について、図１２に示す第３の実施形態の各部と同一部分は同一符号である。この第４の実施形態が第３の実施形態と異なる点は、ミニブログ判定モジュール９２が追加された構成になっていることである。
【００６９】
第３の実施形態では、短文感想３６の中に放送番組に関連する特定文字列が含まれており、この特定文字列から放送番組毎の短文感想を検索、抽出することができた。しかし、放送番組に関連する特定文字列が含まれていない場合には、どの放送番組に対して投稿されたのか特定することはできない。
【００７０】
ミニブログ判定モジュール９２は、放送局毎の番組情報あるいはＳＩ情報と短文感想を照合し、番組情報あるいはＳＩ情報に含まれる単語と同じ単語が含まれた短文感想をこの放送番組に関連した短文感想と判定する機能を有する。従って、短文感想に放送番組に関連した特定文字列が無い場合でも、放送番組を特定することができる。番組情報あるいはＳＩ情報に含まれる単語と同じ単語が含まれていない場合には、放送番組を特定することができない。
【００７１】
番組情報あるいはＳＩ情報には、放送局名、放送日時、番組名、放送概要、出演者、番組詳細等の個々の番組に関する情報が含まれている。出演者や番組内容から抽出した単語で短文感想を検索し、単語が含まれる短文感想をその放送番組に対して投稿された短文感想と判定する。番組情報あるいはＳＩ情報から単語を抽出する方法としては、形態素解析を適用して単語に分解し、例えば、この中の名詞を使って検索することが考えられる。
【００７２】
例えば、放送局１ｃｈ Ａ−ＴＶの放送番組タイトルＡＡの短文感想を検索する場合には、１ｃｈ Ａ−ＴＶの放送局の特定文字列で検索された多数の短文感想に対して、例えば、現在の放送時間に該当する放送番組の番組情報あるいはＳＩ情報の中の単語を使って、さらに検索することにより、この単語が含まれる短文感想が抽出されれば、この短文感想を放送番組の現在の放送時間に該当する放送番組の短文感想であると判定される。
【００７３】
（第５の実施形態）
図１５は、第５の実施形態に係る情報表示装置１の構成を示した外観斜視図である。この第５の実施形態の各部について、図１に示す第１の実施形態の各部と同一部分は同一符号である。この第５の実施形態が第１の実施形態と異なる点は、情報表示装置１の操作機器としてリモコン８の代わりにタブレット端末１００を使用する構成としたことである。
【００７４】
タブレット端末１００は、ＩＥＥＥ８０２．１１シリーズの通信方式を用いた無線ＬＡＮ等のネットワーク送受信機能を有しており、インターネット等のネットワーク３１に接続することが可能である。タブレット端末１００は、ネットワーク３１上にあるサーバから放送番組に関する番組情報、また、ネットワーク３１を介して接続されたミニブログのウェブサイトのサーバ３２から放送局に関連した短文感想３６を取得する機能を有する。
【００７５】
タブレット端末１００の画面１０１には、図４で示した複数の放送局名と放送局毎の短文感想３６が表示された状態と類似なミニブログ一覧を表示することが可能である。タブレット端末１００の画面１０１に表示された放送局名をタップすることによって情報表示装置１の画面７に放送番組を表示させることが可能である。情報表示装置１は、ネットワーク送受信モジュール３０を介してタブレット端末１００からのコマンドを受け、情報表示装置１の画面７に放送番組を表示させる。
【００７６】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００７７】
１  情報表示装置
７  画面
８  リモコン
１４  デコード処理モジュール
１５  重畳処理モジュール
１６  映像処理モジュール
１７  表示装置
２１  制御モジュール
２２  ＭＰＵ
２３  ＲＡＭ
２４  ＲＯＭ
２５  フラッシュメモリ
２６  操作受信モジュール
２７  操作機器
２８  外部インターフェース
２９  外部装置
３０  ネットワーク送受信モジュール
３１  ネットワーク
３２  サーバ
３３  放送局表示モジュール
３４  ミニブログ取得モジュール
３５  ミニブログ表示モジュール
３６  短文感想
５３  ミニブログ表示ボタン
６０  放送局名表示領域
６１  短文感想表示領域
６２  番組表示領域
６３  追加情報表示領域
７０  情報表示装置
７１  制御モジュール
７２  番組表生成モジュール
７３  ミニブログ追加表示モジュール
７４  番組表
７５  番組表表示領域
７６  短文感想表示領域
８０  情報表示装置
８１  制御モジュール
８２  ミニブログ番組追加表示モジュール
８３  短文感想
９０  情報表示装置
９１  制御モジュール
９２  ミニブログ判定モジュール
１００  タブレット端末
１０１  画面
【図１】
0005426709.tif 000002
【図２】
0005426709.tif 000003
【図３】
0005426709.tif 000004
【図４】
0005426709.tif 000005
【図５】
0005426709.tif 000006
【図６】
0005426709.tif 000007
【図７】
0005426709.tif 000008
【図８】
0005426709.tif 000009
【図９】
0005426709.tif 000010
【図１０】
0005426709.tif 000011
【図１１】
0005426709.tif 000012
【図１２】
0005426709.tif 000013
【図１３】
0005426709.tif 000014
【図１４】
0005426709.tif 000015
【図１５】
0005426709.tif 000016